(57)【要約】【課題】歩行姿勢を美しくする。【解決手段】丸編み又は立体縫製経編地で編成され、少なくとも膝部分までを覆うように形成された脚部１０Ｂと、腰部及び臀部を覆う本体部１０Ａを備え、本体部１０Ａは、腸骨稜を覆うように後中心側から左右の脇側へ延び、脇側からそれぞれ斜め下方の前中心側へと延び、本体部よりも補整力が大きくなるように形成された骨盤前傾用サポート部１２を有し、脚部１０Ｂは、膝関節の上側を前後方向に延在するように設けられ、脚部よりも締め付け力が大きい膝上サポート部２１と、膝関節の下側を前後方向に延在するように設けられ、脚部よりも締め付け力が大きい膝下サポート部２２とを有する。【選択図】図１
2014145144.tif 000002
【特許請求の範囲】
【請求項１】
丸編み又は立体縫製経編地で編成され、少なくとも膝部分までを覆うように形成された脚部と、腰部及び臀部を覆う本体部を備えたボトム衣類であって、
前記本体部は、腸骨稜を覆うように後中心側から左右の脇側へ延び、前記脇側からそれぞれ斜め下方の前中心側へと延び、前記本体部よりも補整力が大きくなるように形成された骨盤前傾用サポート部を有し、
前記脚部は、膝関節の上側を前後方向に延在するように設けられ、前記脚部よりも締め付け力が大きい膝上サポート部と、膝関節の下側を前後方向に延在するように設けられ、前記脚部よりも締め付け力が大きい膝下サポート部とを有していることを特徴とするボトム衣類。
【請求項２】
前記骨盤前傾用サポート部は、後中心周辺から下方に向かって延在し仙骨を覆うように形成されていることを特徴とする請求項１に記載のボトム衣類。
【請求項３】
丸編み又は立体縫製経編地で編成され、少なくとも膝部分までを覆うように形成された脚部と、腰部及び臀部を覆う本体部を備えたボトム衣類であって、
前記本体部は、後中心側の臀裂上方から左右の臀部上方を通って左右の大転子近傍部分に至るように形成され、前記本体部よりも補整力が大きくなるように形成された第１骨盤前傾用サポート部を有し、
前記脚部は、膝関節に隣接する上側部分を前後方向に延在するように設けられ、前記脚部よりも締め付け力が大きい膝上サポート部と、膝関節に隣接する下側部分を前後方向に延在するように設けられ、前記脚部よりも締め付け力が大きい膝下サポート部とを有していることを特徴とするボトム衣類。
【請求項４】
前記本体部は、大転子近傍から前記大腿部の外側に沿って上方に延び、前記第１骨盤前傾用サポート部を補助する第２骨盤前傾用サポート部が設けられている、ことを特徴とする請求項３に記載のボトム衣類。
【請求項５】
前記本体部は、着用者の臀溝を覆うとともに、左右の脇側部分に向かって斜め上方に延在し、前記本体部の他の部分よりも大きな補整力を有するヒップサポート部を備えることを特徴とする請求項１から４のいずれか１項に記載のボトム衣類。
【請求項６】
前記脚部は、少なくとも足首部分までを覆うように形成され、
前記足首部分を包み込むように形成された締め付け力が大きい足首サポート部を備えることを特徴とする請求項１から５のいずれか１項に記載のボトム衣類。
【請求項７】
前記脚部は、爪先まで包み込むように形成されており、
前記脚部の足底側部分には、爪先側から踵側に至るように形成された足底サポート部が形成されていることを特徴とする請求項１から６のいずれか１項に記載のボトム衣類。
【発明の詳細な説明】
【技術分野】
【０００１】
本発明は、歩行時の姿勢を矯正するボトム衣類に関するものである。
【背景技術】
【０００２】
従来より、ガードル等のファンデーションの分野では、生地の一部に締め付ける力（生地のパワーとも表現できる。以下、簡単の為、適宜、パワーとも表現する）の大きいサポート部を設けてヒップアップ効果や姿勢矯正の効果を発揮するようにした衣類が提案されている（例えば、特許文献１又は２参照）。
【０００３】
一般的に、このような補整機能を有する衣類では、サポート部のパワーによって他の部分を構成する生地が破れないように、サポート部以外の生地部分についても破裂強度が高い生地が求められる。また、補正機能や筋肉に対してサポート力を適正に作用させるために、サポート部とその他の部分で生地のパワーに差を設ける必要もある。このため、部分的に編成方法を変更することによって上記パワーの差を設け易い生地であることが望ましい。
【０００４】
このような技術的課題が存在するため、サポート部を有する衣類を構成する編地としては経編地（立体縫製編地を除く）を用いることが多い。
【先行技術文献】
【特許文献】
【０００５】
【特許文献１】特開平９−５９８０５号公報
【特許文献２】特許第４３５１４２２号公報
【発明の概要】
【発明が解決しようとする課題】
【０００６】
しかしながら、上記従来の経編地を前提としたサポート部の編成方法では、生地のパワーの大きい部分と、小さい部分の境目が目立ってしまうため、外部に露出しないような着用状態には適しているが、外部に露出するストッキング等の衣類に用いることは難しかった。
【０００７】
また、ストッキング等の衣類は、丸編み地で編成されるが、丸編み地は経編地に比較して生地の破裂強度が低く、また、多数の編糸で形成される経編地と比較すると編地全体を構成する糸の本数が圧倒的に少ないという特性もあるため生地のパワー差を経編地ほど大きくできないという問題もある。また、立体縫製編地の場合には、編組織の編成上、他の経編地と比較して生地の復元力が小さいため生地のパワーを充分得られないという問題もある。
【０００８】
このため、経編地等を前提として開発されたガードル等のボトム衣類のサポート部の構成を丸編み地や立体縫製編地にそのまま適用することは技術的に難しかった。
【０００９】
一方で、ヒールが高い靴（ハイヒール）を着用した状態では、踵の方が爪先よりも高い位置にある影響によって膝が曲がったぎこちなく不自然な歩行姿勢となり易かった。
【００１０】
本発明は、上記の技術的課題に鑑みて、ヒールが高い靴で歩行する際の姿勢を、膝が伸びた美しい歩行姿勢となるように改善する機能を有するストッキング等のボトム衣類を提案することを目的とする。
【課題を解決するための手段】
【００１１】
本発明は、丸編み又は立体縫製編地で編成され、少なくとも膝部分までを覆うように形成された脚部と、腰部及び臀部を覆う本体部を備えたボトム衣類であり、本体部は骨盤前傾用サポート部を有し、脚部は膝上サポート部と、膝下サポート部を有している。骨盤前傾用サポート部は、腸骨稜を覆うように後中心側から左右の脇側へ延び、脇側からそれぞれ斜め下方の前中心側へと延び、本体部よりも補整力が大きくなるように形成されている。膝上サポート部は、膝関節の上側を前後方向に延在するように設けられ、締め付け力が大きくなるように設定されている。膝下サポート部は、膝関節の下側を前後方向に延在するように設けられている。
【００１２】
この構成では、腸骨稜を覆う位置に設けられた骨盤前傾用サポート部によって立位姿勢時において骨盤を前傾させるとともに、膝上サポート部の膝関節を締め付ける力によって、歩行動作時において膝関節の折れ曲がりが抑制される。
【００１３】
さらに、膝下サポート部によって、脚部のずれ上がりが防止され、骨盤前傾用サポートと、膝下サポート部の着用位置が適切な位置に保持される。
【発明の効果】
【００１４】
本発明のボトム衣類は、ハイヒールを履いた際の姿勢を矯正し、歩行姿勢を美しくすることができる。
【図面の簡単な説明】
【００１５】
【図１】図１は、本発明の実施形態に係るボトム衣類を説明する図である。
【図２】図２は、人体の下半身の骨格を説明する図である。
【図３】図３は、ヒップ緊締部及び骨盤緊締部の形状を説明する図である。
【図４】図４は、図１のボトム衣類によって与えられる力を説明する図である。
【図５】図５は、図１のボトム衣類の編み方の変化を説明する図である。
【図６】図６は、従来のボトム衣類と本発明の実施形態に係るボトム衣類を着用時の歩行を比較する図である。
【図７】図７は、図６における各角度を説明する図である。
【図８】図８は、第１変形例に係るボトム衣類を説明する図である。
【図９】図９は、第２変形例に係るボトム衣類を説明する図である。
【図１０】図１０は、第３変形例に係るボトム衣類を説明する図である。
【図１１】図１１は、第４変形例に係るボトム衣類を説明する図である。
【図１２】図１２は、第５変形例に係るボトム衣類を説明する図である。
【図１３】図１３は、第６変形例に係るボトム衣類を説明する図である。
【発明を実施するための形態】
【００１６】
以下に、図面を用いて本発明の実施形態に係るボトム衣類について説明する。本発明の実施形態で説明するボトム衣類は、例えば、パンティストッキングやタイツのような腰から爪先まで脚全体を覆うように形成されるクロッチ付衣類である。
【００１７】
図１（ａ）に本発明の実施形態に係るボトム衣類１の正面図を示す。また、ボトム衣類１の背面図を図１（ｂ）、右側面図を図１（ｃ）、底面図を図１（ｄ）にそれぞれ示す。なお、各図はボトム衣類１をユーザが着用した際の形状を表しており、図１（ｄ）に示す底面図は、ボトム衣類１を着用した着用者の足底部分である。また、左側面図については、図１（ｃ）を逆にすればよいため、図示を省略する。
【００１８】
図２に、以下の説明で使用する人体の骨格を示す。具体的には、図２（ａ）は、人体の骨格の正面図であり、大転子２００、膝関節中心２０１、外果２０２、母趾の先端２０３、上前腸骨棘２０５及び腸骨陵２０６の位置を示す。また、図２（ｂ）は、人体の骨格の背面図であり、大転子２００、膝関節中心２０１、外果２０２、母趾の先端２０３、上後腸骨棘２０４及び腸骨陵２０６の位置を示す。
【００１９】
ヒールが高い靴を履いて歩行する時には、膝と足首とをできるだけ曲げないように歩いたほうが美しく見える。具体的には、膝の角度と足首の角度が大きいほうが、歩行姿勢が美しく見える。ここで、膝の角度は、大転子２００、外側の膝関節中心２０１及び外果２０２によって特定される後膝部側の角度である。また、足首の角度は、外側の膝関節中心２０１、外果２０２及び母趾の先端２０３によって特定される甲側の角度である。なお。ヒールの高い靴とは、ヒール部分の高さが３ｃｍ以上爪先側よりも高い靴を言うものとする。
【００２０】
図３に、以下の説明で使用する人体の部位を示す。具体的には、図３（ａ）は、臀裂３０１、臀溝３０２及び腸骨陵２０６の一部である骨盤側部の上部２１０の位置と、後述するボトム衣類のヒップ緊締部（ヒップサポート部）１１及び骨盤緊締部（骨盤前傾用サポート部）１２の位置関係を表す背面図である。また、図３（ｂ）は、骨盤側部の上部２１０と、ボトム衣類の骨盤緊締部１２の位置関係を表す正面図である。
【００２１】
図１及び図３に示すように、ボトム衣類１は、着用者の両脚を挿通自在であって、腰及び臀部を覆う本体部１０Ａと、本体部１０Ａに連続して着用者の両足を別々に挿通する一対の脚部１０Ｂとを有している。ボトム衣類１の本体部１０Ａ及び脚部１０Ｂは、丸編地またはダブルラッセル等の立体縫製経編地で形成されている。
【００２２】
このボトム衣類１は、本体部１０Ａの着用者の後中心から腸骨陵を覆い左右の脇側部分を経由し、脇側から前中心側に向かって斜め下方に延びた帯状部分に、本体部１０Ａの全体的な締め付け力（緊締力）よりもより強力な締め付け力（なお、生地のパワーとも表現できる）を与える帯状の骨盤緊締部１２を備えている。また、ボトム衣類１は、２本の脚部１０Ｂの着用者の膝関節の上下部分に、脚部１０Ｂと連続して丸編で形成され、脚部１０Ｂの全体的な締め付け力よりもより強力な締め付け力を周囲から与える環状の膝緊締部（膝サポート部）２０を備えている。
【００２３】
図３に示すように、骨盤緊締部１２は、後ろ中心から左右の脇側部分に向かって腸骨陵を覆うように形成されており、左右の両脇側から斜め前方にそれぞれ向かい、腹部の下側部分を覆う位置で合流するように形成されている。より具体的には、骨盤緊締部１２の前側部分は、図１（ａ）及び図３（ｂ）に示すように、着用者の腹部部分でＶ字形（逆ハの字形）を呈しており、後側部分は、図１（ｂ）に示すように、後中心周辺から下方に向かって仙骨を覆うように延在し、略Ｔ字形を呈している。そして、骨盤緊締部１２を形成する前側部分のＶ字形（逆ハの字形）の上部分と後側部分のＴ字形の左右両側は連続している。したがって、骨盤緊締部１２は、後側部分においては水平方向に締め付けるように作用し、前側部分においては着用者の腹部下部の左右両側が左右下方に締め付けるように作用し、歩行動作時において骨盤に対して前傾させるようなサポート力が作用する。
【００２４】
なお、本実施形態では、前中心側において骨盤緊締部１２が覆う位置はクロッチ部分よりもやや上側に位置するように形成した例を挙げているが、本発明はこれに限定されるものではない。骨盤緊締部１２の前中心側部分の位置は、骨盤緊締部１２の脇側部分よりも低い位置であれば良く、例えば、商品の仕様に応じて、骨盤緊締部１２が、クロッチ部分周辺に至るように設けてもよいし、また、臍周辺に至るように設けてもてもよい。
【００２５】
さらに、ボトム衣類１は、脚部１０Ｂの足首部分に、脚部１０Ｂと連続して丸編で形成され、前後方向に延在するように設けられ、脚部１０Ｂの全体的な締め付け力よりもより強力な締め付け力を周囲から与える足首緊締部（足首サポート部）３０を備えている。また、ボトム衣類１は、脚部１０Ｂに、着用者の足底部の爪先側から踵側に至る範囲に脚部１０Ｂの全体的な締め付け力よりもより強力な締め付け力を与える足底緊締部（足底サポート部）４０を備えている。加えて、ボトム衣類１は、本体部１０Ａの着用者の臀溝３０２から左右の骨盤側部の上部２１０に沿った帯状部分に、ヒップを包み込むように形成され、本体部１０Ａの全体的な締め付け力よりもより強力な締め付け力を後側部分に与えるヒップ緊締部１１を備えている。
【００２６】
ヒップ緊締部１１は、着用時には着用者にフィットして締め付け力を与える。具体的には、ヒップ緊締部１１は、着用者の臀部において臀溝３０２に沿って左右それぞれの骨盤側部の上部２１０まで湾曲した帯状に形成され、骨盤緊締部１２に接続されている。このヒップ緊締部１１の幅は、例えば、図３（ａ）に概念的に示すように、臀溝３０２を覆う幅に形成される。
【００２７】
ヒップ緊締部１１は、図４（ａ）に示すように、帯状の長手方向に補整力が強く（伸び難く）作用するように形成されている。ボトム衣類１を着用した場合、臀溝３０２に沿ったヒップ緊締部１１によって、着用者の大殿筋は矢印方向に持ち上げられ、ヒップアップによって美しいボディラインが造形される。
【００２８】
骨盤緊締部１２は、着用時には着用者にフィットして締め付け力を作用させる。具体的には、骨盤緊締部１２は、着用者の臀裂３０１から臀部上方の腸骨陵２０６に沿って左右の骨盤側部の上部２１０を経由して、左右の脇側からそれぞれ斜め下方向に伸びて腹部下部に至るまで湾曲した帯状に形成されている。
【００２９】
骨盤緊締部１２は、図４（ａ）に示すように、帯状の長手方向に補整力が強く作用するように形成されている。ボトム衣類１を着用した場合、着用者の臀裂３０１の上方から左右の骨盤側部の上部２１０に至る帯状の部分において、骨盤緊締部１２によって、後傾であった骨盤が矢印方向に前傾させられる。このように骨盤が前傾させられることで、着用者は、膝を伸ばしやすくなる。
【００３０】
骨盤緊締部１２は、図１（ａ）に示すように、前側部分はＶ字形状（逆ハの字形状）に形成されているが、前中心側の腹部を覆う部分では、強い締め付け力を有していなくてもよい。
【００３１】
なお、図１及び図３では、ヒップ緊締部１１と骨盤緊締部１２とは、別々に示されているが、着用者の同一部分に締め付け力を与えることができれば、一体であってもよい。例えば、ヒップ緊締部１１と骨盤緊締部１２とが連続して編まれている場合や同一の布地で形成される場合、ヒップ緊締部１１と骨盤緊締部１２との境界は存在しない。
【００３２】
膝緊締部２０は、着用時に着用者にフィットして軸心（中心）に向かって周囲から締め付けるように締め付け力を与える。具体的には、膝緊締部２０は、着用者の膝より上部側に帯状で環状に形成される膝上緊締部（膝上サポート部）２１と、着用者の膝より下部側に帯状で環状に形成される膝下緊締部（膝下サポート部）２２とを有している。例えば、図１に示すように、膝上緊締部２１及び膝下緊締部２２は、互いに並行に形成されている。また、膝上緊締部２１の幅は、図１に示すように、膝下緊締部２２の幅よりも広く形成されていてもよい。
【００３３】
なお、本実施形態では、膝上緊締部２１及び膝下緊締部２２が、互いに並行を成すように形成される例を挙げているが、例えば、仕様に応じて、膝上緊締部２１及び膝下緊締部２２が前側部分で互いに接近し、後側部分で互いに離間するように形成してもよいし、反対に前側で離間し、後側で接近するように形成してもよい。
【００３４】
膝上緊締部２１は、図４（ａ）に示すように、略一定幅の帯状で環状の長手方向（矢印方向：環状に沿う方向）に締め付け力がより強く作用するように形成されている。また、膝上緊締部２１は、膝関節から離れる（上がる）につれて締め付け力が徐々に弱く作用するように形成されている。換言すれば、膝上緊締部２１は、下部側の締め付け力よりも上部側の締め付け力が次第に弱くなるように形成されている。
【００３５】
ここで、一般に、ヒールが高い靴を履いた状態で歩行する場合には、ヒールが低い靴を履いた状態で歩行する場合と比較して、歩行姿勢が不安定であるため、前に踏み出した足が接地してから足が地面を蹴り上げるまでのタイミングで、膝関節が折れ曲がり易い。また、膝が折れ曲がるのに伴って、大腿部前面の周径が大きくなることが知られている。
【００３６】
これに対し、膝上緊締部２１は、膝関節の上部を締め付けように形成されているため、膝の折れ曲がった状態では、膝を真っ直ぐな状態にさせるような復元力を大腿部前面に作用させ、膝関節が折れ曲がり難くしている。
【００３７】
膝下緊締部２２は、略一定幅の帯状で環状の長手方向（矢印方向：環状に沿う方向）に締め付け力が強く作用するように形成され、帯状の幅方向において弱く形成されている。また、膝下緊締部２２は、膝関節から離れる（下がる）につれて締め付け力が徐々に弱く作用するように形成されている。換言すれば、膝下緊締部２２は、上部側の締め付け力よりも下部側の締め付け力が次第に弱くなるように形成されている。このように、膝下部分を締め付けることによって、脚部１０Ｂのずり上がりを防止している。
【００３８】
本発明に係るボトム衣類１を着用した場合、図４（ａ）に示すように、着用者の膝が曲がると、膝上緊締部２１及び膝下緊締部２２は、膝が曲がっていない状態よりも膝が曲がった状態において大きな締め付け力を大腿部の前面側に作用させる。これにより、歩行時の膝の曲がり具合を低減している。
【００３９】
このように、膝緊締部２０により、着用者の膝が曲がると、これに反発して伸ばす締め付け力が与えられるため、着用者は膝が伸ばしやすくなり、歩行姿勢が美しくなる。また、膝を曲げた際に、締め付け力で膝を伸ばしやすくなることで、歩行がサポートされる。したがって、着用者は、歩行姿勢が美しくなるばかりでなく、歩行がサポートされることで歩きやすくなる。
【００４０】
足首緊締部３０は、着用時には着用者の足首に帯状にフィットして軸心（中心）に向かって周囲から締め付けるように締め付け力を与える。具体的には、図４（ａ）に示すように、足首緊締部３０は、略一定幅の帯状で環状の長手方向（環状に沿う方向）に締め付け力が弱く作用するように形成され、帯状の幅方向において下側（足底に近い側）の締め付け力を強くし、足底から離れるにつれて締め付け力が徐々に弱く作用するように形成されている。換言すれば、足首緊締部３０は、下部側の締め付け力よりも上部側の締め付け力が次第に弱くなるように形成してある。
【００４１】
ボトム衣類１を着用した場合、図４（ａ）に示すように、着用者の足首周りに締め付け力が与えられて足首周りの筋肉をサポートしている。
【００４２】
また、ボトム衣類１が着用者の足首部分で強い力によりフィットすることにより、着用の際のボトム衣類１のずれを防止することができる。一般的には、人体の足首部分は脚全体で最も細くなっていることが多いため、ボトム衣類１の着用時に長時間歩行していると足首部分が上下にずれやすい傾向にある。また、足首部分のずれに伴い、膝緊締部２０もずれるおそれがある。したがって、ボトム衣類１の足首部分を強い力でフィットさせることにより、足首部分（足首緊締部３０）のずれを防止し、膝緊締部２０の位置のずれも防止することができる。
【００４３】
足底緊締部４０は、足底の爪先から踵までの長手方向に伸び難く形成されている。
【００４４】
ボトム衣類１の着用時には、足底部分が足首の締付部分に近接する、足底緊締部４０によって、着用者は爪先を踵側へ引き付ける力を受け、矢印方向に足首が伸びやすくなる。したがって、歩行姿勢を美しくすることができる。
【００４５】
また、ボトム衣類１においては、着用時に、外観上、アウターから露出する可能性の高い膝緊締部２０については外観上、目立ち難い、あるいは見えないことが好ましい。
【００４６】
一方、丸編み地や立体縫製編地では、締め付け力の大きさを変化させる場合には、単位面積当たりの編み目の数を変化させることで調整している。そして、その変化の度合いが大きいと境界部分が際立ち易くなり、反対に、締め付け力の変化が小さいと目立ち難くなるという特性を有する。
【００４７】
そこで、本実施形態に係るボトム衣類１では、図５に示す一例のように、脚部１０Ｂと膝緊締部２０との境界、及び、脚部１０Ｂと足首緊締部３０との境界周辺で、段階的に単位面積当たりの編目の数を変化せている。なお、図５では、グラデーションを利用して、編み目の変化を表しており、色の濃い部分ほど単位面積当たりの編み目の数が大きく、締め付け力の大きい部分を示し、反対に、糸の薄い部分ほど単位面積あたり編み目の数が少なく、締め付け力の弱い部分を示している。さらに、ボトム衣類は、例えば、ナイロン、ポリウレタン、又はそれらの混合素材で形成される。
【００４８】
丸編で脚部１０Ｂよりも締め付け力の高い膝緊締部２０及び足首緊締部３０を構成し、膝部分と足首部分に締め付け力を与えたとしても、歩行時の膝と足首を曲げないようにするために十分な圧力を与えることは困難である。したがって、ボトム衣類１は、膝部分に締め付け力を与える膝緊締部２０と足首部分に締め付け力を与える足首緊締部３０とともに、ヒップアップ効果のあるヒップ緊締部１１と、骨盤の傾きを調整する骨盤緊締部１２と、足底部分に締め付け力を与える足底緊締部４０を利用した相乗効果により、姿勢の矯正をより効果的にサポートすることができる。
【００４９】
ここで、ヒップ緊締部１１、骨盤緊締部１２及び足底緊締部４０は、脚部１０Ｂと連続して丸編または立体縫製縦編地で構成される必要はない。例えば、ヒップ緊締部１１、骨盤緊締部１２及び足底緊締部４０は、当て布を本体部１０Ａまたは脚部１０Ｂに接着または縫着して構成してもよい。
【００５０】
例えば、ボトム衣類１の着用時に、膝丈又は膝上丈の衣類を着用し、ボトム衣類１の足首部分や、膝部分が衣類から露出している場合であっても、外部からはヒップ緊締部１１、骨盤緊締部１２や足底緊締部４０は衣類または靴によって隠されているため、第三者からは視認されない。したがって、仮に、ヒップ緊締部１１、骨盤緊締部１２及び足底緊締部４０が当て布を貼り付け又は縫い付けされていた場合であっても、第三者の視点からは違和感がないと考えられる。
【００５１】
なお、ヒップ緊締部１１、骨盤緊締部１２、膝緊締部２０及び足底緊締部４０のパワーは、編地の弾性糸の量を調整して編地のパワーを他の部分よりも大きくすること、当て布を取り付けて伸び難くすること等の方法によって、他の部分よりも生地のパワーが大きくなるように形成されている。このため、他の部分よりも補整力や締め付け力が大きくなっている。
【００５２】
また、ヒップ緊締部１１及び骨盤緊締部１２が存在する腰周り部分及び足底緊締部４０が存在する足底部分は、膝部分や足首部分と比較して、別布が張り付け又は縫い付けされていたとしても、着用者も違和感を覚えにくい場所である。したがって、着用者にとっても、ヒップ緊締部１１、骨盤緊締部１２及び足底緊締部４０については、上記のように当て布を貼り付け又は縫い付けされていた場合であっても、履き心地が悪くなりにくい。
【００５３】
上述したように、本発明に係るボトム衣類は、着用者の骨盤の傾きをサポートし、膝と足首が曲がらないようにサポートするとともに、ヒップアップにより美しいボディラインを造形することで、歩行姿勢を美しくすることができる。特に、ハイヒールの着用時であっても、骨盤の傾きや膝及び足首の角度を矯正し、歩行姿勢を美しくすることができる。
【００５４】
また、少なくとも衣類から露出する膝緊締部２０及び足首緊締部３０については、目立たないように丸編又は立体縫製経編地で編成されている。したがって、第三者の視点からは分からず、歩行姿勢の美観を損なうこともない。
【００５５】
さらに、腰、膝、足首及び足底等、下肢の広い範囲に分けて歩行姿勢をサポートすることができる。したがって、下肢の局部に強い力がかからず、着用感がよい。
【００５６】
（実施例）
以下に、本発明に係るボトム衣類を着用した例の分析結果を説明する。図６は、同一のユーザが、従来のボトム衣類を着用して歩行した側面図（図６（ａ））と、本発明に係るボトム衣類を着用して歩行した側面図（図６（ｂ））を示している。歩行時に地面から離れていた足が前方向へ移動して接地する状態を表している。
【００５７】
一般的には、ハイヒールを履くことで踵の位置が高くなり、膝や腰の位置も高くなる。したがって、ハイヒールを履いた場合、脚を長く見せることができる。また、ハイヒールを履くことで足首が伸び、脹脛の筋肉が縮んで持ち上がる。したがって、ハイヒールを履いた場合、脚を細く見せることができる。しかしながら、ハイヒールを履いて歩く場合、膝が曲がり、図６（ａ）に示すように、脚が細長く見えないこともある。
【００５８】
ヒールの高い靴を履いている場合でも、脚全体の筋肉をバランスよく使えば、腰が上がり、膝が伸び、足首も伸びた美しい姿勢を保ちながら歩くことができる。しかし、膝下の筋肉が弱い場合や、長時間歩くことによって膝下の筋肉に疲れが生じた場合には、図６（ａ）に示すように、腰が落ちて、膝が曲り、足首も曲がった姿勢をとって、膝下の筋肉をなるべく使わないように太腿の大きな筋肉に頼って歩くことになる。このため、歩行姿勢が美しく見えない。
【００５９】
これに対し、本実施形態に係るボトム衣類１の着用によって、腰が上がり、膝が伸び、足首も伸びた姿勢を保って歩きやすいようにサポートされえる。このため、膝下の筋肉が弱い場合や、長時間歩くことによって膝下の筋肉に疲れが生じた場合であっても、歩行姿勢を美しく見せることができる。
【００６０】
骨盤の傾きについては、「骨盤傾斜角度」を使用する。「骨盤傾斜角度」は、「上後腸骨棘２０４を通る水平線」と「上後腸骨棘２０４と上前腸骨棘２０５を結ぶ線」がなす角度をいう。この骨盤傾斜角度は、骨盤が後傾すると小さくなり、骨盤が前傾すると大きくなる傾向にある。図６に示すように、従来のボトム衣類を着用した際の歩行時の骨盤傾斜角度α１と、本発明に係るボトム衣類を着用した際の歩行時の骨盤傾斜角度α２とを比較すると、α２の方が大きい。したがって、本発明に係るボトム衣類を着用した方が、骨盤が前傾し、膝が曲がりにくく、美しく歩行できることが分かる。
【００６１】
膝の角度については、「膝関節角度」を使用する。「膝関節角度」は、「大転子２００と外側の膝関節中心２０１を結ぶ線」と「外側の膝関節中心２０１と外果２０２を結ぶ線」が成す後膝部側の角度をいう。図６に示すように、従来のボトム衣類を着用した際の歩行時の膝関節角度β１と、本発明に係るボトム衣類を着用した際の歩行時の膝関節角度β２とを比較すると、β２の方が大きい。したがって、本発明に係るボトム衣類を着用した方が、膝が伸び、美しく歩行できることが分かる。
【００６２】
足首の角度については、「足関節角度」を使用する。「足関節角度」は、「外側の膝関節中心２０１と外果２０２を結ぶ線」と「外果２０２と母趾の先端２０３を結ぶ線」が成す足の甲側の角度をいう。図６に示すように、従来のボトム衣類を着用した際の歩行時の足関節角度γ１と、本発明に係るボトム衣類を着用した際の歩行時の足関節角度γ２とを比較すると、γ２の方が大きい。したがって、本発明に係るボトム衣類を着用した方が、足首が伸び、美しく歩行できることが分かる。
【００６３】
図７に、従来のボトム衣類を着用した際の歩行時と、本発明に係るボトム衣類を着用した際の歩行時の骨盤傾斜角度（図７（ａ））、膝関節角度（図７（ｂ））、足関節角度（図７（ｃ））を比較するグラフを示す。ここで、図７におけるＡ及びＢは従来のボトム衣類であって、Ｃが本発明に係るボトム衣類である。なお、Ｂは従来のボトム衣類であるが、むくみの防止を目的として一部分の締め付け力が他の部分よりも強くなっている。
【００６４】
ここでは、１１名の被験者について、Ａ、Ｂ、Ｃの各ボトム衣類について、３回ずつ歩行し、立脚期に膝関節の屈曲角度が最大となる瞬間の骨盤傾斜角度、膝関節角度、足関節角度の平均値を求め、さらに各被験者の３回の平均値から各ボトム衣類について被験者全員の平均値を求めている。図７（ａ）から、本発明のボトム衣類の着用時の骨盤傾斜角度が最も大きいことが分かる。また、図７（ｂ）から、本発明のボトム衣類の着用時の膝関節角度が最も大きいことが分かる。さらに、図７（ｃ）から、本発明のボトム衣類の着用時の足関節角度が最も大きいことが分かる。
【００６５】
図７の結果から、Ａ及びＢの従来のボトム衣類を着用した場合と比較して、本発明に係るボトム衣類を着用した場合の方が、歩行姿勢が美しくなることが分かる。Ｔ検定の結果からも、骨盤傾斜角度、膝関節角度及び足関節角度のいずれにおいても、統計的に有意な差が認められた（危険率５％未満）。
【００６６】
また、同時に行った被験者のアンケートによると、「綺麗に歩ける感じがするボトム衣類」として、１１名が本発明に係るボトム衣類を選択した。また、「歩きやすいボトム衣類」として、１０名が本発明に係るボトム衣類を選択した。
【００６７】
さらに、本発明に係るボトム衣類に関し、「ヒップアップされている感じがする」、「膝が支えられている感じで、膝が曲がらずに歩ける」、「膝周りに圧がかかっていて安定するので、歩きやすい」、「膝がスムーズに前にでる」、「適度なサポート感はあるが、通常の着圧のものより楽に感じる。きつくない。」等のコメントが被験者からあげられた。
【００６８】
以下に、本発明のボトム衣類１の変形例について説明する。以下の説明において、図１乃至図５を用いて上述したボトム衣類１と同一の構成については、同一の符号を付して説明を省略する。
【００６９】
（第１変形例）
図８を用いて、本発明の第１変形例に係るボトム衣類１Ａの一例について説明する。ボトム衣類１Ａを、図１を用いて上述したボトム衣類１と比較すると、ボトム衣類１Ａには、足首より下の部分が存在せず、足底緊締部４０が存在しない点で異なる。具体的には、ボトム衣類１Ａは、腰から足首までを覆うレギンス等の衣類である。
【００７０】
ボトム衣類１Ａの着用時には、足底部分には締め付け力が与えられないが、ヒップ緊締部１１、骨盤緊締部１２、膝緊締部２０及び足首緊締部３０によって着用者に締め付け力が与えられ、歩行時の姿勢を美しくすることができる。
【００７１】
なお、足首部分に折り返しのあるレギンスの場合、折り返しによって、足首部分に締め付け力を与えてもよい。
【００７２】
（第２変形例）
図９を用いて、本発明の第２変形例に係るボトム衣類１Ｂの一例について説明する。ボトム衣類１Ｂを図１を用いて上述したボトム衣類１と比較すると、ボトム衣類１Ｂには、脹脛部分より下が存在せず、足首緊締部３０及び足底緊締部４０が存在しない点で異なる。具体的には、ボトム衣類１Ｂは、ボトム衣類１Ａと同様に腰から少なくとも膝下までを覆うレギンス等の衣類である。なお、膝より下かつ足首より上であれば、ボトム衣類１Ｂの丈は限定されない。
【００７３】
ボトム衣類１Ｂの着用時には、足首部分及び足底部分には締め付け力が与えられないが、ヒップ緊締部１１、骨盤緊締部１２及び膝緊締部２０によって着用者に締め付け力が与えられ、歩行時の姿勢を美しくすることができる。
【００７４】
（第３変形例）
図１０を用いて、本発明の第３変形例に係るボトム衣類１Ｃの一例について説明する。図１０では、ボトム衣類１Ｃの背面図一例を示している。ボトム衣類１Ｃと図１を用いて上述したボトム衣類１とを比較すると、ボトム衣類１では、骨盤緊締部１２が臀裂の下方から開始しているが、ボトム衣類１Ｃは、骨盤緊締部１２が臀裂の上方から開始している点で異なる。なお、ボトム衣類１Ｃの前面については、図１を用いて上述したボトム衣類１と同一である。
【００７５】
図１０に示すように、骨盤緊締部１２の開始位置が図１と異なる場合であっても、骨盤を前傾させることで膝を伸ばし、歩行時の姿勢を美しくすることができる。
【００７６】
なお、ヒップ緊締部１１はヒップアップ効果を得ることができ、骨盤緊締部１２は骨盤の前傾効果を得ることができれば、図１や図１０に示す形状や幅に限られない。また、骨盤緊締部１２の形状が図１０に示す例の場合にも、図８または図９に示すように、足先まで覆われていないレギンスに応用することもできる。
【００７７】
（第４変形例）
図１１は、第４変形例に係るボトム衣類１Ｄの本体部１０Ａを背面から見た斜視図である。ボトム衣類１Ｄを、図１を用いて上述したボトム衣類１と比較すると、ボトム衣類１Ｄは、ヒップ緊締部１１を有しておらず、骨盤緊締部１２に代えて、第１骨盤緊締部（第１骨盤前傾用サポート部）１２Ｄ及び第２骨盤緊締部（第２骨盤前傾用サポート部）１３Ｄを有する点で異なる。具体的には、第１骨盤緊締部１２Ｄは、本体部１０Ａにおいて着用者の後中心である臀裂上方からヒップの膨らみに沿うように上方に凸となるカーブを描くように左右の脇方向へ延び、脇部から下方へ延びる大転子２００付近までの範囲に相当する帯状部分に、本体部１０Ａの全体的な締め付け力よりもより強力な締め付け力を与えるように帯状に形成されている。また、第２骨盤緊締部１３Ｄは、本体部１０Ａにおいて第１骨盤緊締部１２Ｄより左右の前面側に配置され、骨盤側部の上部２１０からそれぞれ大転子２００付近までの範囲に相当する帯状部分に、本体部１０Ａの全体的な締め付け力よりもより強力な締め付け力を与えるように上下方向を長手方向とする帯状に形成されている。なお、本例では、ボトム衣類１Ｄは、第２骨盤緊締部１３Ｄを備えた例を挙げて説明したが、第２骨盤緊締部１３Ｄは、第１骨盤緊締部１２Ｄを補助するものであるため、第１骨盤緊締部１２Ｄのサポート力で骨盤を前傾させることができる場合には特に設けないものとしてもよい。
【００７８】
図１を用いて上述した骨盤緊締部１２は、腸骨稜を覆って骨盤の背面から前面に影響を与えて骨盤を前傾させるよう作用していた。これに対し、第４変形例に係るボトム衣類１Ｄの第１骨盤緊締部１２Ｄ及び第２骨盤緊締部１３Ｄは、骨盤の背面側において梨状筋４０１の通る部分を覆って骨盤を前傾させるように作用する。
【００７９】
図１１（ａ）のボトム衣類１Ｄでは、第１骨盤緊締部１２Ｄは、臀裂の上方からそれぞれヒップ上部の膨らみに沿うように臀部の左右の上方を通り梨状筋４０１付近で下方に伸びている。また、第２骨盤緊締部１３Ｄは、本体部１０Ａにおける第１骨盤緊締部１２Ｄの左右の前面側の骨盤側部の上部２１０から下方に伸びている。図１１（ａ）に示す例では、第１骨盤緊締部１２Ｄは、臀裂の上方から骨盤側部の下方の大転子２００付近に至るまで概ね同一の幅に形成されている。また、第２骨盤緊締部１３Ｄも骨盤側部の上部２１０から下方の大転子２００付近に至るまで概ね同一の幅で形成されている。
【００８０】
なお、図１１（ｂ）の第１骨盤緊締部１２Ｄで示すように、臀裂上方の近傍で幅狭に構成されていたり、図１１（ｃ）の第１骨盤緊締部１２Ｄに示すように、臀裂上方で幅狭に構成されていてもよい。また、図１１では、ボトム衣類１Ｄの本体部１０Ａのみを示しているが、これに限られない。例えば、ボトム衣類１Ｄの脚部１０Ｂについては、図１を用いて上述したように爪先までが存在し、膝緊締部２０、足首緊締部３０及び足底緊締部４０を有してもよい。または、ボトム衣類１Ｄが図８及び図９を用いて上述したように、少なくとも膝下までが存在するレギンスである場合、膝緊締部２０を有し、足首緊締部３０や足底緊締部４０を有していなくてもよい。
【００８１】
このように、第４変形例に係るボトム衣類１によっても、骨盤を前傾させ、膝を伸ばす効果を得ることができる。また、第１骨盤緊締部１２Ｄと第２骨盤緊締部１３Ｄとを別の素材で構成することができる。
【００８２】
（第５変形例）
図１２は、第５変形例に係るボトム衣類１Ｅの本体部１０Ａを背面から見た斜視図である。ボトム衣類１Ｅを図１を用いて上述したボトム衣類１と比較すると、ボトム衣類１Ｅは、ヒップ緊締部１１を有しておらず、骨盤緊締部１２に代えて、第１骨盤緊締部（第１骨盤前傾用サポート部）１２Ｅ及び第２骨盤緊締部（第２骨盤前傾用サポート部）１３Ｅを有する点で異なる。また、ボトム衣類１Ｅを図１１を用いて上述したボトム衣類１Ｄと比較すると、ボトム衣類１Ｅでは、第１骨盤緊締部１２Ｅ及び第２骨盤緊締部１３Ｅが連続して一体に形成されている点で異なる。
【００８３】
具体的には、第１骨盤緊締部１２Ｅは、本体部１０Ａにおいて着用者の後中心である臀裂上方からヒップ上部の膨らみに沿うように左右の臀部の上方を脇方向へ経由して梨状筋４０１付近で下方に伸びて大転子２００付近に至るまでの範囲に相当する帯状部分に、本体部１０Ａの全体的な締め付け力よりもより強力な締め付け力を与えるように帯状に形成されている。また、第２骨盤緊締部１３Ｅは、本体部１０Ａの第１骨盤緊締部１２Ｅより左右の前面側に配置され、骨盤側部の上部２１０からそれぞれ大転子２００付近までの範囲に相当する帯状部分に、本体部１０Ａの全体的な締め付け力よりもより強力な締め付け力を与えるように帯状に形成されている。
【００８４】
図１を用いて上述した骨盤緊締部１２は、腸骨稜を覆って骨盤の背面から前面に影響を与えて骨盤を前傾させるよう作用していた。これに対し、第５変形例に係るボトム衣類１Ｅの第１骨盤緊締部１２Ｅ及び第２骨盤緊締部１３Ｅは、骨盤の背面側において梨状筋４０１の通る部分を覆って骨盤を前傾させるように作用する。
【００８５】
具体的には、図１２（ａ）に示すように、第１骨盤緊締部１２Ｅと第２骨盤緊締部１３Ｅは大転子２００近傍（裾側）で一体化している。図１２（ａ）のボトム衣類１では左右一対の第１骨盤緊締部１２Ｅは、臀裂上方から骨盤側部の下方に至るまで概ね同一の幅に構成されている。また、第２骨盤緊締部１３Ｅも骨盤側部の上部２１０から下方に至るまで概ね同一の幅で形成されている。
【００８６】
なお、図１２（ｂ）の第１骨盤緊締部１２Ｅに示すように、臀裂上方の近傍で幅狭に構成されていたり、図１２（ｃ）の第１骨盤緊締部１２Ｅに示すように、臀裂上方で幅狭に構成されていてもよい。また、図１２では、ボトム衣類１Ｅの本体部１０Ａのみを示しているが、ボトム衣類１Ｅの脚部１０Ｂについては、図１を用いて上述したように爪先までが存在していてもよいし、図８及び図９を用いて上述したように、少なくとも膝下までが存在するものであってもよい。
【００８７】
第５変形例に係るボトム衣類１によっても、骨盤を前傾させ、膝を伸ばす効果を得ることができる。
【００８８】
（第６変形例）
図１３は、第６変形例に係るボトム衣類１Ｆの本体部１０Ａを背面から見た斜視図である。図１３（ａ）に示すボトム衣類１Ｆを、図１を用いて上述したボトム衣類１と比較すると、ボトム衣類１Ｆは、ヒップ緊締部１１を有しておらず、骨盤緊締部１２に代えて、第１骨盤緊締部（第１骨盤前傾用サポート部）１２Ｆ及び第２骨盤緊締部（第２骨盤前傾用サポート部）１３Ｆを有する点で異なる。また、ボトム衣類１Ｆを、図１２を用いて上述したボトム衣類１Ｅと比較すると、本体部１０Ａが右本体部１０Ａ’と左本体部１０Ａ’’とに分割されている点で異なる。
【００８９】
図１を用いて上述した骨盤緊締部１２は、腸骨稜を覆って骨盤の背面から前面に影響を与えて骨盤を前傾させるよう作用していた。これに対し、第６変形例に係るボトム衣類１Ｆの第１骨盤緊締部１２Ｆ及び第２骨盤緊締部１３Ｆは、骨盤の背面側において梨状筋４０１の通る部分を覆って骨盤を前傾させるように作用する。
【００９０】
図１３（ａ）に示すボトム衣類１Ｆでは、左右一対の第１骨盤緊締部１２Ｆは上側に凸形状となるように滑らかに湾曲され、後中心である臀裂上方からヒップ上部の膨らみに沿うように左右の骨盤側部の下方の大転子２００付近に至るまで概ね同一の幅で形成されている。また、第１骨盤緊締部１２Ｆは、図１３（ｂ）に示すように、臀裂上方から骨盤側部の下方の大転子付近に至るまで概ね同一の幅で、略直線状に構成されていてもよい。さらに、第１骨盤緊締部１２Ｆは、図１３（ｃ）に示すように、臀裂上方の付近で幅広に構成され、着用者の臀部の上部を幅広く覆うように構成されていてもよい。なお、図１３では、ボトム衣類１Ｆの本体部１０Ａのみを示しているが、ボトム衣類１Fの脚部１０Ｂについては、図１を用いて上述したように爪先までが存在していてもよいし、図８及び図９を用いて上述したように、少なくとも膝下までが存在するものであってもよい。
【００９１】
第６変形例に係るボトム衣類１によっても、骨盤を前傾させ、膝を伸ばす効果を得ることができる。
【００９２】
以上、実施形態及び変形例を用いて本発明を詳細に説明したが、本発明は本明細書中に説明した実施形態に限定されるものではない。本発明の範囲は、特許請求の範囲の記載及び特許請求の範囲の記載と均等の範囲により決定されるものである。
【符号の説明】
【００９３】
１，１Ａ〜１Ｆ…ボトム衣類
１０Ａ…本体部
１０Ａ’…右本体部
１０Ａ’’…左本体部
１０Ｂ…脚部
１１…ヒップ緊締部（ヒップサポート部）
１２…骨盤緊締部（骨盤前傾用サポート部）
１２Ｄ〜１２Ｆ…第１骨盤緊締部（第１骨盤前傾用サポート部）
１３Ｄ〜１３Ｆ…第２骨盤緊締部（第２骨盤前傾用サポート部）
２０…膝緊締部
２１…膝上緊締部（膝上サポート部）
２２…膝下緊締部（膝下サポート部）
３０…足首緊締部（足首サポート部）
４０…足底緊締部（足底サポート部）
２００…大転子
２０１…膝関節中心
２０２…外果
２０３…先端
２０４…上後腸骨棘
２０５…上前腸骨棘
２０６…腸骨稜
２１０…骨盤側部の上部
３０１…臀裂
３０２…臀溝
４０１…梨状筋
α１，α２…骨盤傾斜角度
β１，β２…膝関節角度
γ１，γ２…足関節角度
【図１】
2014145144.tif 000003
【図２】
2014145144.tif 000004
【図３】
2014145144.tif 000005
【図４】
2014145144.tif 000006
【図６】
2014145144.tif 000007
【図７】
2014145144.tif 000008
【図８】
2014145144.tif 000009
【図９】
2014145144.tif 000010
【図１０】
2014145144.tif 000011
【図１１】
2014145144.tif 000012
【図１２】
2014145144.tif 000013
【図１３】
2014145144.tif 000014
【図５】
2014145144.tif 000015